(57)【特許請求の範囲】
【請求項１】
硬質合成樹脂製の天板（１）と別体の前板（２）とからなるカーテンボックス（２０）において、前記天板の先端部（４）に、弾性を有する合成樹脂製のアダプタ（３）の開口部（６）を、脱着可能にかつ回動可能に、かつ弾性的に、前記天板の側方から外嵌し、前記アダプタに前板（２）を脱着可能に弾性的に固定したことを特徴としてなるカーテンボックス。
【請求項２】
天板（１）の先端部（４）の上端後方に段部（５）を設け、前記段部にアダプタ（３）の開口部（６）の上端（１５）を回転可能に掛け、前記先端部の下端後方に前記アダプタ開口部の上端を中心とする弧面を描く摺動部（７）を形成し、前記開口部の下端（１６）を前記摺動部に当て、前記摺動部の前記弧面の半径方向幅を前記開口部の前記上端と前記下端の間の内幅よりも少し大きく形成し、前記摺動部の弧面の前後端から半径方向に突出する前後のストッパ（８、１８）を設け、アダプタ（３）を前記上端を中心に回転すると、前記下端が前記ストッパの間において前記摺動部の弧面に沿って摺動することを特徴としてなる請求項１記載のカーテンボックス。
【請求項３】
アダプタ（３）の上下にフック受け（９、１０）を一体に設け、前板の後面に前記フック受けに脱着可能に係合する上下のフック（１７、１１）を一体に形成したことを特徴としてなる請求項１又は２記載のカーテンボックス。
【請求項４】
下フック受け（１０）を逆Ｔ字形とし、その後端を押し上げると、前記下フック受けから下フック（１１）が外れるようにしたことを特徴としてなる請求項３記載のカーテンボックス。
【請求項５】
天板（１）にカーテンレール（２１）の片側の耳がはまる溝（１２）を設けたことを特徴としてなる請求項１ないし４のいずれか一つに記載のカーテンボックス。
【請求項６】
前板（２）の上部（１４）の曲率中心をアダプタ開口部の上端（１５）の回転中心と一致させたことを特徴としてなる請求項２に記載のカーテンボックス。
【請求項７】
壁面（１９）にブラケット（２２）を固定し、前記ブラケットの前面に１個以上のフック受け（２４、２５）を上下に、天板（１）の後面に１個以上のフック（２６、２７）を上下にそれぞれ一体に設けて、前記天板を前記ブラケットに掛け止め可能とし、上の前記フック（２６）を前記天板の上端近くの位置に設け、前記ブラケットの上端部（３６）を突出させて上の前記フック受け（２４）を前記ブラケットの上下幅の中央付近に位置させ、前記上端部が天井面（３７）に接した状態でも上の前記フックを上の前記フック受けに落し込めるようにしたことを特徴とする請求項１記載のカーテンボックス。
【請求項８】
前記ブラケット前面と前記天板後面にそれぞれ上下フック受け（２４、２５）と上下フック（２６、２７）を設け、下フック受け（２５）の前面に左右に延長する止めねじ用溝（２８）を設け、天板（１）の前面の前記止めねじ用溝と対応する位置にＶ溝（２９）を設けて前記天板を前記ブラケットに固定する止めねじ（３５）の位置を規定したことを特徴とする請求項７記載のカーテンボックス。
【発明の詳細な説明】
【０００１】
【発明の属する技術分野】
本発明は、硬質合成樹脂製の天板と、その天板に脱着可能な前板とからなり、内部にカーテンレールを固定するカーテンボックスに関する。
【０００２】
【従来の技術】
前板を天板に脱着可能に固定し、それにより前板を交換可能にしたカーテンボックスは公知である。そのカーテンボックスの内部にカーテンレールを固定するとき、又は、カーテンレールのランナーにカーテンのフックを掛けるとき、カーテンボックスの前板が邪魔になるので、前板を外してこれらの作業を行うが、前板の脱着も厄介であるから、前板をはね上げることができるボックスも提供されている。
【０００３】
従来の前板をはね上げることができるカーテンボックス３０は、図６に示すように、先端部に軸部３２を有する天板３１と、その軸部に部分回動可能に外嵌するボス部３４を有する前板３３とからなる。この前板３３のボス部３４はカーテンボックス３０の端から長手方向に天板３１の軸部３２に外嵌するので、組立が厄介であり、かつ回動も不円滑になりやすいという問題があった。又、このカーテンボックス３０は前板３３をはね上げた状態に保持する機構を設けると構造が複雑になり、精度の良好な樹脂成形が難しくなる。
【０００４】
【発明が解決しようとする課題】
本発明は上記問題を解決するためになされたものであり、その課題は、天板と、その天板に容易に脱着することが可能な前板とからなるカーテンボックスであって、前板をはね上げることも、任意のはね上げ角度に保持することも、元の位置に戻すことも容易なものを提供することである。
【０００５】
【課題を解決するための手段】
前記課題を達成するため、本発明が採用する手段は、側方から見て、弾性を有する合成樹脂製のアダプターの開口部を、天板の先端部に脱着可能に、かつ回動可能に、かつ弾性的に固定可能に外嵌し、そのアダプターに前板を脱着可能に、かつ弾性的に固定したことにある。
【０００６】
好ましくは、天板先端部の上端後方に段部を設け、その段部にアダプタ開口部の上端を掛け、天板先端部の下端後方に弧状の摺動部を形成し、その摺動部にアダプタ開口部の下端を摺動可能に当て、開口部上端を中心にアダプタを回動させる。
又、アダプタ開口部の上端と下端の内幅を摺動部の半径方向幅よりもわずかに小さくし、開口部上端を中心に回動するアダプタが任意の角度位置において、摺動部に弾性的に固定可能とする。さらに、摺動部の弧面の両側を半径方向に突出させて、アダプタの回転範囲を規制する。
【０００７】
前板の後面の上下に略水平に突出して下方に折れるフックを設け、アダプタの前面の上下に前板の上下のフックが掛かるフック受けを形成してアダプタと前板の一体結合を可能とする。
アダプタの下フック受けを逆Ｔ字形に形成し、そのフック受けの後方を押し上げると、下フック受けは前板の下フックから容易に外れるようにして前板をアダプタから脱着しやすくする。
【０００８】
天板の下面にカーテンレールの前後の一方を位置決めするか、又は前後の一方の耳がはまる溝を設け、カーテンレールの固定を容易にする。
前板の曲板状上部の曲率中心をアダプタ開口部上端の回転中心と一致させると、前板を天井に付けた状態ではね上げることができる。
【０００９】
【発明の実施の形態】
本発明のカーテンボックスを図面に示す実施例に基づいて説明する。
図１はカーテンボックス２０の側面図である。カーテンボックス２０は壁面１９又は天井面に直接又はブラケット２２を介して固定される硬質合成樹脂製の天板１と、その天板の先端に脱着可能に取り付けた弾性を有する合成樹脂製のアダプタ３と、そのアダプタ３に脱着可能に固定した硬質合成樹脂製の前板２とからなる。天板１の内下面にはカーテンレール２１が固定プレート１３を介して固定される。カーテンレール２１の一方の耳は天板１の下面の溝１２にはまる。
【００１０】
図２の部分拡大図に示すように、カーテンレール２１の一方の耳は天板１に設けた溝１２にはまり、他方の耳は天板１と固定プレート１３の間に挟持さる。カーテンレール２１にはランナー２３が移動自在に取り付けられ、そのランナー２３には図外のカーテンのフックが掛けられる。
天板１の先端部４はアダプタ３の開口部６にすっぽりはまる。開口部６の上端１５は先端部４の上端後方の段部５に掛かり、下端１６は先端部下端後方の弧状の摺動部７に当接する。摺動部７の前後両端は下方に突出してストッパ８、１８を形成する。摺動部７の段部５を中心とする半径方向幅は、開口部６の上端１５と下端１６の内幅よりも少し大きくする。
【００１１】
アダプタ３の上下にフック受け９、１０を一体に形成し、そのフック受け９、１０に掛ける上下のフック１７、１１を前板２に一体に設ける。開口部６の上端１５が段部５に掛かり、下端１６が摺動部７の後方のストッパ１８に当たるとき、前板２は略垂直である。この状態から、矢印Ａで示すように、前板２を手ではね上げると、アダプタ３は上端１５を中心に回転し、下端１６は摺動部７の弧面に沿って摺動する。
【００１２】
図３に示すように、下端１６が摺動部７の前方のストッパ８に当接するまで、アダプタ３を回転すると、前板２は水平に近い状態にはね上がる。開口部６の上下端１５、１６の内幅は摺動部７の半径方向幅よりも小さいから、アダプタ３は開口部６により天板１の摺動部７に弾性的に結合する。したがって、アダプタ３は上端１５を中心とする任意の回転角度位置において天板１に固定することができる。
【００１３】
前板２の曲面状上部の曲率中心をアダプタ３の上端１５の回転中心に一致させると、前板２が天井面に付くようにカーテンボックス２０を設置しても、前板２を自由にはね上げることができる。
図４に示すように、アダプタ３の下フック受け１０は逆Ｔ字形であり、後端を矢印Ｂで示すように押し上げると、前板２の下フック１１は直ぐに外れる。ついで、前板２を矢印Ｃの方向に回すと、前板２はアダプタ３から簡単に外れる。逆に、カーテンボックスを組み立てるために、前板２をアダプタ３に固定するときは、前板２の上フック１７をアダプタ３の上フック受け９に掛けて、上フック１９を中心に前板２を下げる方向に回すと、下フック１１は直ぐに下フック受け１０にはまる。
【００１４】
アダプタ３は、開口部６の上端１５と下端１６が弾性的に開くから、アダプタ３を天板１の先端部４から外すときは、下端１６が後方からストッパ８をのり越えるようにアダプタ３を回し、アダプタ３を先端部４にはめるときは、下端１６が前方からストッパ８をのりり越えるようにアダプタ３を回すだけでよい。したがって、カーテンボックス２０の組立は至極容易である。
【００１５】
カーテンレール２１を天板１に固定する作業、又は、ランナー２３にカーテンのフックを掛ける作業をするとき、前板２をはね上げると、前板２ははね上げた位置で固定するから、前板２が作業に邪魔になるおそれはない。作業後、前板２は手で簡単に元の位置に戻すことができる。
図５に示すように、天板１を壁面１９に固定するブラケット２２には上下フック受け２４、２５を、天板１の後面にはそのフック受けに掛ける上下フック２６、２７を、それぞれ一体に設けて天板１をブラケット２２に掛け止め可能とする。ここで、上フック受け２４はブラケット２２の上端部３６より全長の半分程度の低い位置に、天板１の上フック２６は上端近くの位置に設けると、矢印Ｄで示すように、ブラケット２２の上端部３６が天井面３７に接しても天板１をブラケット２２に落し込んで掛け止めすることができる。ブラケット２２の下フック受け２５に止めねじ用溝２８を設け、天板１の止めねじ用溝２８に相当する位置にＶ溝２９を設ける。天板１をブラケット２２に掛け止めして、Ｖ溝２９に止めねじ３５をねじ込むと、止めねじ３５は確実にブラケット２２の止めねじ用溝２８にねじ込まれ、天板１はブラケット２２に固定される。
【００１６】
【発明の効果】
上記のとおり、本発明のカーテンボックスは、カーテンボックスの組立及び前板のはね上げた状態の保持が容易ではなかった従来のものとは異なり、弾性を有するアダプタを介して天板に前板をはね上げ可能にかつ脱着容易に取り付けてなるから、組立も、前板をはね上げた状態で固定することも至極容易であり、それにより、カーテンボックスの組立、カーテンボックスへのカーテンレールの取り付け取り外し、ランナーへのカーテンフックの取り付け取り外し等の作業が至極容易になるという優れた効果を奏する。
【図面の簡単な説明】
【図１】本発明の一実施例のカーテンボックスの側面図、
【図２】図１の部分拡大図であり、前板をはね上げる前の状態を示す。
【図３】図１の部分拡大図であり、前板をはね上げた状態を示す。
【図４】アダプタと前板の脱着を示す部分拡大側面図、
【図５】図１の天板の部分拡大側面図、
【図６】従来のカーテンボックスの斜視図、
【符号の説明】
１：天板
２：前板
３：アダプタ
４：先端部
５：段部
６：開口部
７：摺動部
８：ストッパ（前方）
９：上フック受け
１０：下フック受け
１１：下フック
１２：溝
１３：固定プレート
１４：曲面
１５：上端
１６：下端
１７：上フック
１８：ストッパ（後方）
１９：壁面
２０：カーテンボックス
２１：カーテンレール
２２：ブラケット
２３：ランナー
２４：上フック受け
２５：下フック受け
２６：上フック
２７：下フック
２８：止めねじ用溝
２９：Ｖ溝
３０：カーテンボックス
３１：天板
３２：軸部
３３：前板
３４：ボス部
３５：止めねじ
３６：上端部
３７：天井面
【図１】
0003912453.tif 000002
【図２】
0003912453.tif 000003
【図３】
0003912453.tif 000004
【図４】
0003912453.tif 000005
【図５】
0003912453.tif 000006
【図６】
0003912453.tif 000007